【手続補正書】
【提出日】平成18年12月12日(2006.12.12)
【手続補正１】
【補正対象書類名】明細書
【補正対象項目名】特許請求の範囲
【補正方法】変更
【補正の内容】
【特許請求の範囲】
【請求項１】  印刷装置で印刷処理される印刷データを生成する情報処理装置であって、
プリンタドライバの印刷設定画面で印刷データの印刷処理の属性を設定する設定手段と、
前記印刷設定画面で特殊印刷モードを指定する特殊印刷モード指定手段と、
印刷属性情報を生成する印刷属性情報生成手段と、
前記印刷データと前記印刷属性情報で構成される印刷装置で解釈可能な印刷ジョブを生成するジョブ生成手段を有し、
前記印刷属性生成手段は、
前記特殊印刷モードが指定されていなければ、前記設定手段の設定に基づいて、第１の記録シートに印刷するための第１の印刷属性情報を生成し、
前記特殊印刷モードが指定されていれば、前記第１の印刷属性情報を生成すると共に、第２の記録シートに印刷するための前記設定手段の設定とは異なる第２の印刷属性情報を自動的に生成し、
前記ジョブ生成手段は、生成する前記印刷データと前記印刷属性からなる印刷ジョブにおいて、前記印刷属性は更に印刷出力形態に関する仕上げ属性の定義を含み、
前記ジョブ生成手段は、前記特殊モードが指定された場合には、
前記第１の印刷属性に基づく仕上げ属性を示す第１のコマンド群と第１の印刷データと、前記第２の印刷属性に基づく仕上げ属性を示す第２のコマンド群と第２の印刷データからなる１つの印刷ジョブを生成することを特徴とする情報処理装置。
【請求項２】  前記第１の記録シートと前記第２の記録シートは、同一のシートタイプであることを特徴とする請求項１に記載の情報処理装置。
【請求項３】  前記第１の記録シートは光非透過性記録シートであり、前記第２の記録シートは光透過性記録シートであることを特徴とする請求項１に記載の情報処理装置。
【請求項４】  前記特殊印刷モードは、プレゼンテーションモードであり、前記第１の印刷属性情報は配布用資料を作成するための印刷属性情報であり、前記第２の印刷属性情報は発表用資料を作成するための印刷属性情報であることを特徴とする請求項１乃至３のいずれかに記載の情報処理装置。
【請求項５】  前記印刷出力形態に関する仕上げ属性は、複数枚の記録シートをステイプルする綴じ処理、記録シートを折る折り処理、記録シートに穴を開けるパンチ処理、記録シートに対するレイアウト処理のうちのいずれかのフィニッシング処理であることを特徴とする請求項１に記載の情報処理装置。
【請求項６】  前記特殊印刷モードが指定された場合には、前記設定手段の設定内容に関わらず、第２の印刷属性において前記フィニッシング処理は行われないように自動設定されることを特徴とする請求項５に記載の情報処理装置。
【請求項７】  前記第１の印刷データと前記第２の印刷データは同じ印刷データであることを特徴とする請求項１に記載の情報処理装置。
【請求項８】  前記第１の印刷データと前記第２の印刷データは異なる印刷データであって、一方はプリンタドライバの処理によってレイアウト処理や拡大または縮小のいずれかの加工を施した印刷データであることを特徴とする請求項１に記載の情報処理装置。
【請求項９】印刷装置で印刷処理される印刷データを生成する情報処理装置のデータ処理方法であって、
プリンタドライバの印刷設定画面で印刷データの印刷処理の属性を設定する設定工程と、
前記印刷設定画面で特殊印刷モードを指定する特殊印刷モード指定工程と、
印刷属性情報を生成する印刷属性情報生成工程と、
前記印刷データと前記印刷属性情報で構成される印刷装置で解釈可能な印刷ジョブを生成するジョブ生成工程を有し、
前記印刷属性生成工程は、
前記特殊印刷モードが指定されていなければ、前記設定工程の設定に基づいて、第１の記録シートに印刷するための第１の印刷属性情報を生成し、
前記特殊印刷モードが指定されていれば、前記第１の印刷属性情報を生成すると共に、第２の記録シートに印刷するための前記設定工程の設定とは異なる第２の印刷属性情報を自動的に生成し、
前記ジョブ生成工程は、生成する前記印刷データと前記印刷属性からなる印刷ジョブにおいて、前記印刷属性は更に印刷出力形態に関する仕上げ属性の定義を含み、
前記ジョブ生成工程は、前記特殊モードが指定された場合には、
前記第１の印刷属性に基づく仕上げ属性を示す第１のコマンド群と第１の印刷データと、前記第２の印刷属性に基づく仕上げ属性を示す第２のコマンド群と第２の印刷データからなる1つの印刷ジョブを生成することを特徴とする情報処理装置のデータ処理方法。
【請求項１０】  前記第１の記録シートと前記第２の記録シートは、同一のシートタイプであることを特徴とする請求項９に記載の情報処理装置のデータ処理方法。
【請求項１１】  前記第１の記録シートは光非透過性記録シートであり、前記第２の記録シートは光透過性記録シートであることを特徴とする請求項９に記載の情報処理装置のデータ処理方法。
【請求項１２】  前記特殊印刷モードは、プレゼンテーションモードであり、前記第１の印刷属性情報は配布用資料を作成するための印刷属性情報であり、前記第２の印刷属性情報は発表用資料を作成するための印刷属性情報であることを特徴とする請求項９乃至１１のいずれかに記載の情報処理装置のデータ処理方法。
【請求項１３】  前記印刷出力形態に関する仕上げ属性は、複数枚の記録シートをステイプルする綴じ処理、記録シートを折る折り処理、記録シートに穴を開けるパンチ処理、記録シートに対するレイアウト処理のうちのいずれかのフィニッシング処理であることを特徴とする請求項９に記載の情報処理装置のデータ処理方法。
【請求項１４】  前記特殊印刷モードが指定された場合には、前記設定手段の設定内容に関わらず、第２の印刷属性において前記フィニッシング処理は行われないように自動設定されることを特徴とする請求項１３に記載の情報処理装置のデータ処理方法。
【請求項１５】  前記第１の印刷データと前記第２の印刷データは同じ印刷データであることを特徴とする請求項９に記載の情報処理装置のデータ処理方法。
【請求項１６】  前記第前記第１の印刷データと前記第２の印刷データは異なる印刷データであって、一方はプリンタドライバの処理によってレイアウト処理や拡大または縮小のいずれかの加工を施した印刷データであることを特徴とする請求項９に記載の情報処理装置のデータ処理方法。
【請求項１７】  請求項９〜１６のいずれか１項に記載の情報処理装置のデータ処理方法をコンピュータで実行させることを特徴とするプログラム。
【請求項１８】  請求項９〜１６のいずれか１項に記載の情報処理装置のデータ処理方法をコンピュータに実行させるためのプログラムを格納したことを特徴とするコンピュータが読み取り可能な記憶媒体。
【手続補正２】
【補正対象書類名】明細書
【補正対象項目名】０００８
【補正方法】変更
【補正の内容】
【０００８】
【課題を解決するための手段】
本発明は、印刷装置で印刷処理される印刷データを生成する情報処理装置であって、プリンタドライバの印刷設定画面で印刷データの印刷処理の属性を設定する設定手段と、前記印刷設定画面で特殊印刷モードを指定する特殊印刷モード指定手段と、印刷属性情報を生成する印刷属性情報生成手段と、前記印刷データと前記印刷属性情報で構成される印刷装置で解釈可能な印刷ジョブを生成するジョブ生成手段を有し、前記印刷属性生成手段は、前記特殊印刷モードが指定されていなければ、前記設定手段の設定に基づいて、第１の記録シートに印刷するための第１の印刷属性情報を生成し、前記特殊印刷モードが指定されていれば、前記第１の印刷属性情報を生成すると共に、第２の記録シートに印刷するための前記設定手段の設定とは異なる第２の印刷属性情報を自動的に生成し、前記ジョブ生成手段は、生成する前記印刷データと前記印刷属性からなる印刷ジョブにおいて、前記印刷属性は更に印刷出力形態に関する仕上げ属性の定義を含み、前記ジョブ生成手段は、前記特殊モードが指定された場合には、前記第１の印刷属性に基づく仕上げ属性を示す第１のコマンド群と第１の印刷データと、前記第２の印刷属性に基づく仕上げ属性を示す第２のコマンド群と第２の印刷データからなる１つの印刷ジョブを生成することを特徴とする。